(57)【要約】【課題】  メインテナンス性能を低下させることなく、コンパクトにガントリ内部に収納することができるデータ収集部を備えるＸ線ＣＴ装置を実現する。【解決手段】  通信手段５１の通信用入出回路を２系統用意し、同一のプリント板４７および４８を電子部品が装着されない板面を背中合わせにして密着させた組み合わせ板４５の片側から電気ケーブル４６を装着し、この装着によりプリント板４７および４８上に存在する通信手段５１の異なる系統の入出力回路を選択的に動作状態にすることとしているので、背中合わせにされた２枚一組のプリント板により、プリント板の収納効率を向上させると共に、高周波特性を劣化させることなく電気ケーブルの脱着を２枚一組の組み合わせ板の片側からのみ行い、メンテナンス性能の低下を防止することを実現させる。【選択図】        図４
2006288515.tif 000002
【特許請求の範囲】
【請求項１】
厚みを持って扇状に拡がるＸ線ビームを検出し、前記Ｘ線ビームの入射方向と概ね直交するＸ線の検出面に２次元配列される複数のＸ線検出器と、
前記Ｘ線検出器と電気接続され、前記検出されるアナログ信号をデジタル信号に変換し、前記デジタル信号の通信を行う同一形状および同一プリント配線パターンを有する複数のプリント板と、
前記複数のプリント板から前記デジタル信号を入出力する複数の電気ケーブルと、
を備えるＸ線ＣＴ装置であって、
前記プリント板は、前記通信を行う通信手段を有し、
前記通信手段は、前記電気ケーブルの接続および非接続によりオンオフされる複数の通信用入出力回路を有し、
前記プリント板は、前記電気ケーブルおよび前記通信用入出力回路を電気接続する、複数のプリント配線パターンおよびコネクタを有し、
さらに前記プリント板は、電子部品が装着されない背面を絶縁体を介して密着させた２枚一組の組み合わせ板を形成し、
前記組み合わせ板は、密着された各プリント板の１つのコネクタに、前記電気ケーブルが電気接続されることを特徴とするＸ線ＣＴ装置。
【請求項２】
厚みを持って扇状に拡がるＸ線ビームを検出し、前記Ｘ線ビームの入射方向と概ね直交するＸ線の検出面に２次元配列される複数のＸ線検出器と、
前記Ｘ線検出器と電気接続され、前記検出されるアナログ信号をデジタル信号に変換し、前記デジタル信号の通信を行う同一形状および同一プリント配線パターンを有する複数のプリント板と、
前記複数のプリント板から前記デジタル信号を入出力する複数の電気ケーブルと、
を備えるＸ線ＣＴ装置であって、
前記プリント板は、前記通信を行うＩＣからなる通信手段を有し、
前記通信手段は、前記電気ケーブルの接続および非接続によりオンオフされる、前記ＩＣに概ね軸対称に配置される２系統の通信用入出力回路を有し、
前記プリント板は、前記電気ケーブルおよび前記通信用入出力回路を電気接続する、前記プリント板の板面上で概ね前記軸対称をなす２系統のプリント配線パターンおよびコネクタを有し、
さらに前記プリント板は、一枚のプリント板を前記軸対称の対称軸を中心に１８０度回転し、電子部品が装着されない背面を絶縁体を介して密着させた２枚一組の組み合わせ板を形成し、
前記組み合わせ板は、密着された各プリント板の異なる系統に属する１つのコネクタに、前記電気ケーブルが電気接続されることを特徴とするＸ線ＣＴ装置。
【発明の詳細な説明】
【技術分野】
【０００１】
この発明は、２次元配列される複数のＸ線検出器、このＸ線検出器に電気接続される複数のプリント（ｐｒｉｎｔ）板およびこのプリント板からデジタル（ｄｉｇｉｔａｌ）信号を入出力する複数の電気ケーブル（ｃａｂｌｅ）を有するＸ線ＣＴ装置に関する。
【背景技術】
【０００２】
近年、Ｘ線ＣＴ装置のＸ線検出器部分には、無機結晶からなる固体検出器が用いられる。これらは、厚みを持って扇状に拡がるコーン（ｃｏｎｅ）状のＸ線ビーム（ｂｅａｍ）を発するＸ線管と対向配置され、２次元平面にマトリクス（ｍａｔｒｉｘ）状に複数配設されるＭＤ（Ｍｕｌｔｉ  Ｄｅｔｅｃｔｏｒ−ｒｏｗ）ＣＴ装置を構成する。そして、ＭＤＣＴ装置では、被検体の奥行き方向に分解能を有する３Ｄ（Ｄｉｍｅｎｓｉｏｎ）画像が撮像される。
【０００３】
ここで、２次元平面に複数配設されたＸ線検出器には、検出された電気信号を増幅し、この電気信号をアナログ（ａｎａｌｏｇ）信号からデジタル信号に変換し、このデジタル信号を後段の信号処理装置に通信するデータ（ｄａｔａ）収集部が接続される。このデータ収集部は、Ｘ線検出器の数が増えるに従って、多量のものとなる（例えば、特許文献１参照）。
【特許文献１】特開２００５−０８０７４９号公報、（第１頁、図２）
【発明の開示】
【発明が解決しようとする課題】
【０００４】
しかしながら、上記背景技術によれば、データ収集部を、Ｘ線ＣＴ装置が有するガントリ（ｇａｎｔｒｙ）内部の限られた空間に収納することは容易でない。すなわち、Ｘ線ＣＴ装置のＸ線検出器は、多列化および多チャネル（ｃｈａｎｎｅｌ）化が進んでおり、接続されるデータ収集部の電子部品は急速に増えつつある。
【０００５】
一方、Ｘ線ＣＴ装置では、原理上、Ｘ線検出器およびデータ収集部は、回転するガントリ内部の限られた空間に収納される。また、これらデータ収集部は、高速で後段の信号処理装置とデータの通信を行う必要があり、限られた空間に多量の電子部品を収納することは、高周波特性の劣化にもつながる。
【０００６】
特に、Ｘ線ＣＴ装置のサービスマン（ｓｅｒｖｉｃｅ  ｍａｎ）によるメインテナンス（ｍａｉｎｔｅｎａｎｃｅ）を考慮すると、限られた空間に多量の電子部品を収納することは、限られた空間内の配線の複雑化，サービスマンによる脱着を困難にする等のメインテナンス性能を低下させる要因となる。
【０００７】
これらのことから、メインテナンス性能を低下させることなく、コンパクト（ｃｏｍｐａｃｔ）にガントリ内部に収納することができるデータ収集部を備えるＸ線ＣＴ装置をいかに実現するかが重要となる。
【０００８】
この発明は、上述した背景技術による課題を解決するためになされたものであり、メインテナンス性能を低下させることなく、コンパクトにガントリ内部に収納することができるデータ収集部を備えるＸ線ＣＴ装置を提供することを目的とする。
【課題を解決するための手段】
【０００９】
上述した課題を解決し、目的を達成するために、第１の観点の発明にかかるＸ線ＣＴ装置は、厚みを持って扇状に拡がるＸ線ビームを検出し、前記Ｘ線ビームの入射方向と概ね直交するＸ線の検出面に２次元配列される複数のＸ線検出器と、前記Ｘ線検出器と電気接続され、前記検出されるアナログ信号をデジタル信号に変換し、前記デジタル信号の通信を行う同一形状および同一プリント配線パターンを有する複数のプリント板と、前記複数のプリント板から前記デジタル信号を入出力する複数の電気ケーブルと、を備えるＸ線ＣＴ装置であって、前記プリント板は、前記通信を行う通信手段を有し、前記通信手段は、前記電気ケーブルの接続および非接続によりオンオフされる、複数の通信用入出力回路を有し、前記プリント板は、前記電気ケーブルおよび前記通信用入出力回路を電気接続する、複数のプリント配線パターンおよびコネクタを有し、さらに前記プリント板は、電子部品が装着されない背面を絶縁体を介して密着させた２枚一組の組み合わせ板を形成し、前記組み合わせ板は、密着された各プリント板の１つのコネクタに、前記電気ケーブルが電気接続されることを特徴とする。
【００１０】
この第１の観点による発明では、通信手段は、複数の通信用入出力回路を有し、プリント板は、板面上に複数のプリント配線パターンおよびコネクタを有し、さらにプリント板は、２枚のプリント板を、電子部品が装着されない背面で絶縁体を介して密着させた２枚一組の組み合わせ板を形成し、この組み合わせ板は、密着された各プリント板の１つのコネクタに、電気ケーブルが電気接続される。
【００１１】
第２の観点の発明にかかるＸ線ＣＴ装置は、厚みを持って扇状に拡がるＸ線ビームを検出し、前記Ｘ線ビームの入射方向と概ね直交するＸ線の検出面に２次元配列される複数のＸ線検出器と、前記Ｘ線検出器と電気接続され、前記検出されるアナログ信号をデジタル信号に変換し、前記デジタル信号の通信を行う同一形状および同一プリント配線パターンを有する複数のプリント板と、前記複数のプリント板から前記デジタル信号を入出力する複数の電気ケーブルと、を備えるＸ線ＣＴ装置であって、前記プリント板は、前記通信を行うＩＣからなる通信手段を有し、前記通信手段は、前記電気ケーブルの接続および非接続によりオンオフされる、前記ＩＣに概ね軸対称に配置される２系統の通信用入出力回路を有し、前記プリント板は、前記電気ケーブルおよび前記通信用入出力回路を電気接続する、前記プリント板の板面上で概ね前記軸対称をなす２系統のプリント配線パターンおよびコネクタを有し、さらに前記プリント板は、一枚のプリント板を前記軸対称の対称軸を中心に１８０度回転し、電子部品が装着されない背面を絶縁体を介して密着させた２枚一組の組み合わせ板を形成し、前記組み合わせ板は、密着された各プリント板の異なる系統に属するの１つのコネクタに、前記電気ケーブルが電気接続されることを特徴とする。
【００１２】
この第２の観点による発明では、ＩＣからなる通信手段は、概ね軸対称に配置される２系統の通信用入出力回路を有し、プリント板は、板面上で概ねこの軸対称をなす２系統のプリント配線パターンおよびコネクタを有し、さらにプリント板は、一枚のプリント板をこの軸対称の対称軸を中心に１８０度回転し、電子部品が装着されない背面を絶縁体を介して密着させた２枚一組の組み合わせ板を形成し、この組み合わせ板は、密着された各プリント板の異なる系統に属する１つのコネクタに、電気ケーブルが電気接続される。
【発明の効果】
【００１３】
以上説明したように、本発明によれば、同一形状および同一プリント配線パターンを有するプリント板を背面を密着させた２枚一組の組み合わせ板とし、この組み合わせ板の一方の端部に存在する２つのコネクタを電気ケーブルと接続し、通信を行うこととしているので、同一のプリント板をガントリ内の限られた空間にコンパクトに配設し、収納効率を向上すると共に、電気ケーブルとプリント板の電気接続を、コネクタが存在する組み合わせ板の一方の端部に限定された脱着の容易なものとし、ひいては同一のプリント板を用いた部品点数の縮減およびメインテナンス性能の低下の防止を行うことができる。
【発明を実施するための最良の形態】
【００１４】
以下に添付図面を参照して、この発明にかかるＸ線ＣＴ装置を実施するための最良の形態について説明する。なお、これにより本発明が限定されるものではない。
まず、本実施の形態にかかるＸ線ＣＴ装置の全体構成について説明する。図１は、Ｘ線ＣＴ装置のブロック（ｂｌｏｃｋ）図を示す。図１に示すように、本装置は、走査ガントリ（ｇａｎｔｒｙ）１０および操作コンソール（ｃｏｎｓｏｌｅ）６を有する。
【００１５】
走査ガントリ１０は、Ｘ線管２０を有する。Ｘ線管２０から放射された図示しないＸ線は、コリメータ（ｃｏｌｌｉｍａｔｏｒ）２２により、例えば、厚みを持って扇状に拡がり且つコーン状のＸ線ビームとなるように成形され、Ｘ線検出器２４に照射される。
【００１６】
Ｘ線検出器２４は、ファンビームＸ線の広がり方向にマトリックス状に配列された複数のシンチレータを有する。Ｘ線検出器２４は、複数のシンチレータをマトリックス状に配列した、幅のある多チャネルの検出器となっている。
【００１７】
Ｘ線検出器２４は、全体として、凹面状に湾曲したＸ線入射面を形成する。Ｘ線検出器２４は、例えば無機結晶からなるシンチレータと光電変換器であるフォトダイオード（ｐｈｏｔｏ  ｄｉｏｄｅ）等を組み合わせたものである。
【００１８】
Ｘ線検出器２４には、データ収集部２６が接続されている。データ収集部２６は、Ｘ線検出器２４の個々のシンチレータの検出情報を収集する。Ｘ線管２０からのＸ線の照射は、Ｘ線コントローラ（ｃｏｎｔｒｏｌｌｅｒ）２８によって制御される。なお、Ｘ線管２０とＸ線コントローラ２８との接続関係およびコリメータ２２とコリメータコントローラ３０との接続関係については図示を省略する。コリメータ２２は、コリメータコントローラ３０によって制御される。
【００１９】
以上の、Ｘ線管２０からコリメータコントローラ３０までのものが、走査ガントリ１０の回転部３４に搭載されている。ここで、被検体あるいはファントム（ｐｈａｎｔｏｍ）は、回転部３４の中心に位置するボア（ｂｏｒｅ）２９内の撮影テーブル（ｔａｂｌｅ）４上に載置される。回転部３４は、回転コントローラ３６により制御されつつ回転し、Ｘ線管２０からＸ線を爆射し、Ｘ線検出器２４において被検体およびファントムの透過Ｘ線を、回転角度に応じた各ビュー（ｖｉｅｗ）ごとの投影情報として検出する。なお、回転部３４と回転コントローラ３６との接続関係については図示を省略する。
【００２０】
操作コンソール６は、データ処理装置６０を有する。データ処理装置６０は、例えばコンピュータ等によって構成される。データ処理装置６０には、制御インタフェース（ｉｎｔｅｒｆａｃｅ）６２が接続されている。制御インタフェース６２には、走査ガントリ１０が接続されている。データ処理装置６０は、制御インタフェース６２を通じて走査ガントリ１０を制御する。
【００２１】
走査ガントリ１０内のデータ収集部２６、Ｘ線コントローラ２８、コリメータコントローラ３０および回転コントローラ３６は、制御インタフェース６２を通じて制御される。なお、これら各部と制御インタフェース６２との個別の接続については図示を省略する。
【００２２】
データ処理装置６０には、また、データ収集バッファ（ｂｕｆｆｅｒ）６４が接続されている。データ収集バッファ６４は、走査ガントリ１０のデータ収集部２６に接続されている。データ収集部２６で収集されたデータがデータ収集バッファ６４を通じてデータ処理装置６０に入力される。
【００２３】
データ処理装置６０は、データ収集バッファ６４を通じて収集した透過Ｘ線信号すなわち投影情報を用いて画像再構成を行う。データ処理装置６０には、また、記憶装置６６が接続されている。記憶装置６６は、データ収集バッファ６４に収集された投影情報や再構成された断層画像情報および本装置の機能を実現するためのプログラム（ｐｒｏｇｒａｍ）等を記憶する。
【００２４】
また、データ処理装置６０には、表示装置６８と操作装置７０がそれぞれ接続されている。表示装置６８は、データ処理装置６０から出力される断層画像情報やその他の情報を表示する。操作装置７０は、オペレータによって操作され、各種の指示や情報等をデータ処理装置６０に入力する。オペレータは表示装置６８および操作装置７０を使用してインタラクティブ（ｉｎｔｅｒａｃｔｉｖｅ）に本装置を操作する。なお、走査ガントリ１０、撮影テーブル４および操作コンソール６は、被検体あるいはファントムを撮影して断層画像を取得する。
【００２５】
図２は、Ｘ線管２０、Ｘ線検出器２４およびデータ収集部２６の立体的な配置を図示したものである。Ｘ線検出器２４は、Ｘ線管２０により生成されるコーン状のＸ線ビームを検出するシンチレータ４１、シンチレータ４１の発光を検出する光電変換器であるフォトダイオード４２および基盤４３を含む。
【００２６】
シンチレータ４１は、コーン状のＸ線ビームと対向する面に２次元配列され、Ｘ線が入射すると発光する。ここで、シンチレータ４１は、コーン状のＸ線ビームの厚み方向であるスライス方向およびＸ線ビームの扇状の拡がり方向であるチャネル方向に、概ね６４列および１０００チャネル程度の数が配列される。
【００２７】
フォトダイオード４２は、基盤４３上に形成され、シンチレータ４１の発光を検出する。ここで、フォトダイオード４２は、複数チャネルに対応するものが基盤４３上に一体構造をなして形成され、図２の例では４チャネルのフォトダイオード４２が一体構造を形成している。
【００２８】
データ収集部２６は、フレキシブルプリント板４４、組み合わせ板４５および電気ケーブル４６を含む。フレキシブルプリント板４４は、フォトダイオード４２で検出したＸ線のアナログ信号を組み合わせ板４５に伝送する。組み合わせ板４５は、部品が装着されない板面を絶縁層４９を介して密着させた２枚一組のプリント板で、検出したＸ線のアナログ信号をデジタル信号に変換し、このデジタル信号を後段のデータ収集バッファ６４に転送する。
【００２９】
なお、組み合わせ板４５は、板面を平行にしてチャネル方向に配列され、図示しない収納ボックス（ｂｏｘ）に収納される。ここで、シンチレータ４１は、チャネル方向に数ｍｍ程度の大きさの有し、一方複数チャネルのフォトダイオード４２および基盤４３が一体構造とされる。この場合、シンチレータ４１の背後に組み合わせ板４５を無理なく配列する間隔は数ｃｍ程度であり、この間隔は、組み合わせ板４５の厚さを数ｍｍ程度、さらに組み合わせ板４５に装着される電子部品の高さ１ｃｍ程度とすると、収納が極めて厳しいものである。
【００３０】
電気ケーブル４６は、２枚一組の組み合わせ板４５にスライス方向の端部から電気接続されるフラットケーブルで、組み合わせ板４５を構成する２枚一組の各プリント板とデータ収集バッファ６４を電気接続する。ここで、電気ケーブル４６は、チャネル方向に配列される複数の組み合わせ板４５に対して、すべて同一のスライス方向端部から電気接続される。これにより、電気ケーブル４６の脱着あるいは配線等が簡便なものとなり、メインテナンス性能が向上する。
【００３１】
図３および４は、組み合わせ板４５のスライス方向から見た側面図およびチャネル方向から見た正面図である。組み合わせ板４５は、２枚のプリント板４７および４８、絶縁層４９、プリント板４７および４８上に装着される電子部品５２および通信手段５１、コネクタＡ５３およびコネクタＢ５４を含む。
【００３２】
ここで、図３および４の説明を行う前に図５および６を用いてプリント板４７単体の説明を行う。なお、プリント板４８は、プリント板４７と全く同様の形状およびプリント配線パターンを有し、装着される電子部品５２、通信手段５１およびコネクタも同様である。
【００３３】
図５は、プリント板４７の正面図である。プリント板４７の正面には、電子部品５２、通信手段５１およびコネクタＡ５３が装着される。電子部品５２は、フォトダイオード４２からのアナログ信号を増幅する増幅器、このアナログ信号をデジタル信号に変換するＡ／Ｄ変換器等を含む。
【００３４】
通信手段５１は、パラレル（ｐａｒａｌｌｅｌ）のデジタル信号をシリアル（ｓｅｒｉａｌ）のデジタル信号に変換あるいは逆変更する機能を有し、データ収集バッファ６４にデジタル信号をシリアルで伝送し、またデータ収集バッファ６４からシリアルのデジタル信号を受信しパラレルのデジタル信号に変換の後にプリント板４７内部の電子部品５２に送信する。ここで、通信手段５１は、ゲートアレイ（ｇａｔｅ  ａｒｒａｙ）等のＩＣ（Ｉｎｔｅｇｒａｔｅｄ  Ｃｉｒｃｕｉｔ）技術を用いて作られたＩＣで、シリアルのデジタル信号を送受信する通信用入出回路を２系統有する。
【００３５】
コネクタＡ５３は、プリント板４７の正面、スライス方向端部に装着されるコネクタで、このコネクタの一部の端子は、通信手段５１の２系統存在する通信用入出力回路の最寄りの入出力回路とプリント配線パターンを介して電気接続される。なお、この電気接続に付いては後述する。
【００３６】
また、図６は、プリント板４７の裏面図である。プリント板４７の裏面には、コネクタＢ５４が装着される。コネクタＢ５４は、概ね通信手段５１に対してコネクタＡ５３の対象位置に存在し、このコネクタの一部の端子は、通信手段５１の２系統存在する通信用入出力回路のコネクタＡ５３に接続されていない方の回路とプリント配線パターンを介して電気接続される。
【００３７】
図７は、通信手段５１の通信用入出力回路部分と、コネクタＡ５３およびコネクタＢ５４とのプリント配線パターンを介した電気接続を模式的に示した図である。通信手段５１は、系統Ａ７６の入出力回路７１および７２、並びに、系統Ｂ７７の入出力回路７３および７４の２系統の通信用入出力回路を有する。なお、図７では簡便のため一対の入出力回路を例示したが、各系統の入出力回路の数はこれに限定されない。
【００３８】
ここで、系統Ａ７６の入出力回路７１および７２は、プリント板４７の正面に装着されるコネクタＡ５３の端子とプリント配線パターンにより接続され、系統Ｂ７７の入出力回路７３および７４は、プリント板４７の裏面に装着されるコネクタＢ５４の端子とプリント配線パターンにより接続される。なお、ゲートアレイ等のＩＣで構成される通信手段５１の入出力端子は、概ね図７に示す様な物理的配置とされ、図７に示す対称軸に対して概ね対称な構造を有し、コネクタＡ５３およびコネクタＢ５４とのプリント配線パターンによる接続は、共に無駄がなく簡便な構造の同様のものとされ、ひいては共に良好な高周波特性を有するものとなる。
【００３９】
また、入出力回路７１〜７４は、動作をオンオフさせる制御端子を有し、各系統ごとの入出力回路、例えば系統Ａ７６の入出力回路７１および７２は、すべて同期してオンオフの制御が行われる。ここで、通信手段５１が有する各系統の制御端子は、コネクタＡ５３あるいはコネクタＢ５４の所定の端子と接続され、電気ケーブル４６の接続あるいは非接続に応じて、例えばロウ（Ｌｏｗ）あるいはハイ（Ｈｉｇｈ）の制御信号が制御端子に入力される。
【００４０】
図３の側面図に戻り、組み合わせ板４５は、上述した２枚のプリント板４７および４８を、電子部品５２が装着されていない板面を絶縁層４９を介して密着させたものである。ここで、プリント板４７および４８の裏面に装着されるコネクタＢ５４が重なる部分には、プリント板４８および４７の対応する部分に切り欠き部分が存在し、円滑に密着が行われる。
【００４１】
図４は、組み合わせ板４５の正面図を示している。組み合わせ板を構成するプリント板４７のコネクタＡ５３の横には、裏面に存在するプリント板４８のコネクタＢ５４が並置される。なお、組み合わせ板４５の裏面図は、正面図と全く同様のものとなる。
【００４２】
つづいて、電気ケーブル４６が装着された際の組み合わせ板４５の動作を図８を用いて説明する。図８は、組み合わせ板４５に電気ケーブル４６が接続された場合の２枚のプリント板４７および４８を別々に図示したものである。図８（Ａ）は、電気ケーブル４６が装着される側の正面のプリント板４７を示している。また、図８（Ｂ）は、プリント板４７の裏面に存在するプリント板４８を、プリント板４７が存在する側から見た図を示している。
【００４３】
ここで、プリント板４７および４８に接続される電気ケーブル４６は、同一のフラットケーブルである。電気ケーブル４６の先端部には、プリント板４７のコネクタＡ５３と接続される接続端子が装着されており、さらにこの先端部から若干の距離を置いてプリント板４８のコネクタＢ５４と接続される接続端子がケーブルの途中に装着されている。なお図８（Ｂ）では、電気ケーブル４６のプリント板４７のコネクタＡ５３およびプリント板４８のコネクタＢ５４とを接続する部分は、図示を省略している。
【００４４】
まず、図８（Ａ）に示す様に、電気ケーブル４６がプリント板４７のコネクタＡ５３に接続されると、通信手段５１の系統Ａ７６の入出力回路がオンにされ通信が行われる。他方、プリント板４７の裏面に存在するコネクタＢ５４には電気ケーブルが接続されていないので、通信手段５１の系統Ｂ７７の入出力回路はオフの状態のままにされる。
【００４５】
また、図８（Ｂ）に示す様に、同時に電気ケーブル４６が裏面のプリント板４８のコネクタＢ５４に接続されると、通信手段５１の系統Ｂ７７の入出力回路がオンにされ通信が行われる。他方、プリント板４８の部品装着面に存在するコネクタＡ５３には電気ケーブルが接続されていないので、通信手段５１の系統Ａ７６の入出力回路はオフの状態とされる。
【００４６】
これにより、プリント板４８は、表裏反転に伴い入出力回路の系統を系統Ａ７６から系統Ｂ７７に変更し、電気ケーブル４６が接続されるコネクタをコネクタＡ５３からコネクタＢ５４に変更し、後段のデータ収集バッファ６４との通信を行う。一方、電気ケーブル４６が接続されるプリント板４８のコネクタＢ５４は、プリント板４７のコネクタＡ５３の横に並設されるので、同一の電気ケーブル４６による接続が容易に行われる。
【００４７】
上述してきたように、本実施の形態では、通信手段５１の通信用入出回路を２系統用意し、同一のプリント板４７および４８を電子部品が装着されない板面を背中合わせにして密着させた組み合わせ板４５の片側から電気ケーブル４６を装着し、この装着によりプリント板４７および４８上に存在する通信手段５１の異なる系統の入出力回路を選択的に動作状態にすることとしているので、背中合わせにされた２枚一組のプリント板により、プリント板の収納効率を向上させると共に、高周波特性を劣化させることなく電気ケーブル４６の脱着を２枚一組の組み合わせ板の片側からのみ行い、メンテナンス性能の低下を防止する。
【図面の簡単な説明】
【００４８】
【図１】Ｘ線ＣＴ装置の全体構成を示すブロック図である。
【図２】実施の形態のＸ線検出器およびデータ収集部を示す外観図である。
【図３】組み合わせ板の側面を示す側面図である。
【図４】組み合わせ板の正面を示す正面図である。
【図５】プリント板の正面を示す正面図である。
【図６】プリント板の裏面を示す裏面図である。
【図７】プリント板の通信手段とコネクタとを接続するプリント配線パターンを示す模式図である。
【図８】電気ケーブルの接続による２系統からなる入出力回路の選択を示す説明図である。
【符号の説明】
【００４９】
４  撮影テーブル
６  操作コンソール
１０  走査ガントリ
２０  Ｘ線管
２２  コリメータ
２４  Ｘ線検出器
２６  データ収集部
２８  Ｘ線コントローラ
３０  コリメータコントローラ
３４  回転部
３６  回転コントローラ
４１  シンチレータ
４２  フォトダイオード
４３  基盤
４４  フレキシブルプリント板
４５  組み合わせ板
４６  電気ケーブル
４７、４８  プリント板
４９  絶縁層
５１  通信手段
５２  電子部品
５３  コネクタＡ
５４  コネクタＢ
６０  データ処理装置
６２  制御インタフェース
６４  データ収集バッファ
６６  記憶装置
６８  表示装置
７０  操作装置
７１〜７４  入出力回路
７６  系統Ａ
７７  系統Ｂ
【図１】
2006288515.tif 000003
【図２】
2006288515.tif 000004
【図３】
2006288515.tif 000005
【図４】
2006288515.tif 000006
【図５】
2006288515.tif 000007
【図６】
2006288515.tif 000008
【図７】
2006288515.tif 000009
【図８】
2006288515.tif 000010